(57)【要約】【課題】  種々の受光部を有する受光装置が市販されている。例えば、リモコンによって遠隔操作される装置はリモコンからの赤外線を受光する受光部を有する。また、周囲の明るさに応じて表示部の明るさを自動的に調整する装置は周囲の明るさを検出する受光部を有する。しかしながら、受光装置の受光口は露出していなければならず、意匠上の制約を受ける。【解決手段】  表示部と、該表示部の下方の左右に夫々配設されたスピーカと、夫々のスピーカの間に配設された受光部と、前記スピーカ及び前記受光部の前方に配されるパネルと、を備えた受光装置において、前記パネルには、前記受光部に近い方のスピーカの前方から前記受光部の前方まで延在する孔群が設けられる。【選択図】      図６
2007294992.tif 000002
【特許請求の範囲】
【請求項１】
表示部と、該表示部の下方の左右に夫々配設されたスピーカと、夫々のスピーカの間に配設された受光部と、前記スピーカ及び前記受光部の前方に配されるパネルと、を備えた受光装置において、
前記パネルには、前記受光部に近い方のスピーカの前方から前記受光部の前方まで延在する孔群が設けられたことを特徴とする受光装置。
【請求項２】
前記パネルと前記受光部との間に設けられ、前記孔群に嵌入し入光を前記受光部に導く導光部を備えたことを特徴とする請求項１に記載の受光装置。
【請求項３】
表示部と、該表示部の下方の左右に夫々配設された第１，第２スピーカと、前記第１スピーカと前記第２スピーカの間で且つ前記第１スピーカに近い位置に配されたリモコン装置からの操作信号を受光する第１受光部と、前記第１スピーカと前記第２スピーカの間で且つ前記第２スピーカに近い位置に配された外部の明るさを受光する第２受光部と、前記第１，第２スピーカ及び前記第１，第２受光部との前方に配されるパネルと、を備えた受光装置において、
前記パネルには、前記第１スピーカから前記第１受光部の前方まで延在する第１孔群と、前記第２スピーカから前記第２受光部の前方まで延在する第２孔群と、が設けられたことを特徴とする受光装置。
【請求項４】
前記パネルと前記第１受光部との間に設けられ前記第１孔群に嵌入し入光を前記第１受光部に導く第１導光部と、前記パネルと前記第２受光部との間に設けられ前記第２孔群に嵌入し入光を前記第２受光部に導く第２導光部と、を備えたことを特徴とする請求項３に記載の受光装置。
【請求項５】
前記第１孔群と前記第２孔群は前記表示部の左右対称の位置に同じ大きさで設けられたことを特徴とする請求項３又は４に記載の受光装置。
【発明の詳細な説明】
【技術分野】
【０００１】
本発明は、スピーカを有する受光装置に関する。
【背景技術】
【０００２】
現在、種々の受光部を有する受光装置が市販されている。例えば、リモートコントロール装置（以下リモコンという）によって遠隔操作される装置はリモコンからの赤外線を受光する受光部を有する。また、周囲の明るさに応じて表示部の明るさを自動的に調整する装置は周囲の明るさを検出する受光部を有する。
【発明の開示】
【発明が解決しようとする課題】
【０００３】
しかしながら、受光装置の受光口は露出していなければならず、意匠上の制約を受ける。また、違和感が生じないように受光口を小さくしようとすると、受光の感度が低下したり、指向性が悪くなったりする。
【課題を解決するための手段】
【０００４】
本発明の受光装置はかかる点に鑑みなされたもので、表示部と、該表示部の下方の左右に夫々配設されたスピーカと、夫々のスピーカの間に配設された受光部と、前記スピーカ及び前記受光部の前方に配されるパネルと、を備えた受光装置において、
前記パネルには、前記受光部に近い方のスピーカの前方から前記受光部の前方まで延在する孔群が設けられる。
【０００５】
更に、上記構成に加え、前記パネルと前記受光部との間に設けられ、前記孔群に嵌入し入光を前記受光部に導く導光部を備える。
【０００６】
また、表示部と、該表示部の下方の左右に夫々配設された第１，第２スピーカと、前記第１スピーカと前記第２スピーカの間で且つ前記第１スピーカに近い位置に配されたリモコン装置からの操作信号を受光する第１受光部と、前記第１スピーカと前記第２スピーカの間で且つ前記第２スピーカに近い位置に配された外部の明るさを受光する第２受光部と、前記第１，第２スピーカ及び前記第１，第２受光部との前方に配されるパネルと、を備えた受光装置において、
前記パネルには、前記第１スピーカから前記第１受光部の前方まで延在する第１孔群と、前記第２スピーカから前記第２受光部の前方まで延在する第２孔群と、が設けられる。
【０００７】
更に、上記構成に加え、前記パネルと前記第１受光部との間に設けられ前記第１孔群に嵌入し入光を前記第１受光部に導く第１導光部と、前記パネルと前記第２受光部との間に設けられ前記第２孔群に嵌入し入光を前記第２受光部に導く第２導光部と、を備える。
【０００８】
更に、前記第１孔群と前記第２孔群は前記表示部の左右対称の位置に同じ大きさで設けられる。
【発明の効果】
【０００９】
本願発明は、スピーカの前方に設けられた複数の孔群を延在し、延在させた孔の後方に受光部を設けたものである。したがって、意匠的に違和感無く受光部用の孔を設けることができる。
【００１０】
また、複数の孔に嵌入して受光を前記受光部に導く導光部を備え、受光の指向性と感度を向上させることができる。
【発明を実施するための最良の形態】
【００１１】
本発明の実施の形態を図面に基づき説明する。実施の形態の受光装置はリモコンで遠隔され、周囲の明るさに応じて自動的に表示部の明るさが変更されるナビゲーション装置である。図１はこのナビゲーション装置の平面図であり、図２は要部の構成を示すブロック図である。
【００１２】
図１に示す如く、ナビゲーション装置は本体（１）と、内部電源・操作部（２）と、リモコン（３）の３体から成る。
【００１３】
図２に示す如く、本体（１）はＲＯＭ（１２）に書き込まれたプログラムに基づいて各部を制御する制御回路（１１）と、制御回路（１１）の動作に必要な情報を記憶するＲＡＭ（１３）を有する。そして、ＧＰＳ衛星からの電波を受信して現在位置を測定し、測定データを制御回路（１）に出力するＧＰＳ（Ｇｌｏｂａｌ  Ｐｏｓｉｔｉｏｎｉｎｇ  Ｓｙｓｔｅｍ）測位手段（１４）と、地図情報が書き込まれたDVDあるいはCD-ROMから地図情報を読み取るディスク再生手段（１５）を有する。そして、経路案内の音声を発する左右のスピーカ（１６）（１７）と、地図情報や現在位置を制御回路（１）の制御に基づき表示するバックライト付きの液晶の表示部（１８）と、本体の電源供給をＯＮ／ＯＦＦ操作する電源スイッチのサブ入力部（１９）を有する。そして、リモコン（３）からの送信信号を受信するリモコン受光部（２０）と、周囲の明るさを検出するフォトセンサーからなる光度検出部（２１）を有する。制御手段（１１）は光度検出部（２１）から出力される光の強度に基づいて、表示部（１８）のバックライトを調節する。たとえば、車両がトンネルに入れば、バックライトを弱くする。
【００１４】
そして、内部電源・操作部（２）を接続する内部電源・操作部接続部（２２）と、車両のシガーライター端子あるいは家庭の商用電源用アダプタと接続する外部電源接続部（２３）を有する。
【００１５】
リモコン（３）はナビゲーション装置の主たる操作を行うメイン入力部（２７）とその操作信号を送信するリモコン発光部（２８）を有する。メイン入力部（２７）が行う主たる操作とは、図１に示すキーのように、ナビゲーションモードとＣＤ／ＤＶＤの切り替え、ＣＤ／ＤＶＤの再生制御、音量調整、カーソル移動、操作の戻り（ＵＮＤＯ）、画面分割、鳥瞰表示などである。
【００１６】
内部電源・操作部（２）はリモコン（３）のメイン入力部（２７）と同じ操作を行うメイン入力部（２５）と、充電式の二次電池（２４）と、本体（１）の内部電源・操作部接続部（２３）に接続されメイン入力部（２５）の操作信号の出力と二次電池（２４）の電源供給を行う本体接続部（２６）を有する。
【００１７】
図３はナビゲーション装置が携帯されないとき、例えば、車両に搭載されたときの使用状態を示す平面図である。本体（１）には内部電源・操作部（２）が接続されない。外部電源接続部（２３）に車両のシガーライター端子が接続され、本体（１）の電源は車両から供給される。本体（１）の主たる操作はリモコン（３）によって行われる。
【００１８】
図４はナビゲーション装置が携帯されるときの使用状態を示す平面図であり、図５は側面の部分断面図である。本体（１）の内部電源・操作部接続部（２２）に内部電源・操作部（２）が接続され、リモコン（３）は使用されない。これにより、本体（１）の電源は内部電源・操作部（２）の二次電池（２４）から供給され、本体（１）の主たる操作は内部電源・操作部（２）のメイン入力部（２５）によって行われる。
【００１９】
図６はスピーカが配設される部分の要部の構成を示す正面断面図であり、図７は光度検出部（２１）の側面断面図である。図６において、左右のスピーカ（１６）（１７）の前方のパネル（１００）には、図１に示す如く、夫々マトリクス状に整列した孔群（１００ａ）（１００ｂ）を有する。この孔群（１００ａ）（１００ｂ）はスピーカ部より中央部に延在する。この一方の延在部の後方に光度検出部（２１）が、他方の延在部の後方にリモコン受光部（２０）が配設される。リモコン受光部（２０）と光度検出部（２１）の前方にはアクリル樹脂等の透明な材質で成型された導光部（１０１）を備える。導光部（１０１）は複数の円柱形の凸部を有し、その凸部が前記延在部の孔に嵌入して孔を埋め、受光の指向性を向上させている。また、導光部（１０１）の側面（１０１ａ）は全反射しやすいように斜めにカットされており、感度が高くなるようになっている。
【００２０】
尚、上述の受光装置はナビゲーション装置であったが、本発明はナビゲーション装置に限定するものではなく、受光部とスピーカを有する装置に適応させることができる。
【図面の簡単な説明】
【００２１】
【図１】本発明の実施例の主要な構成を示すブロック図である。
【図２】本発明の構成を示す平面図である。
【図３】携帯されないときの使用状態を示す平面図である。
【図４】携帯されるときの使用状態を示す平面図である。
【図５】携帯されるときの使用状態を示す側面断面図である。
【図６】スピーカが配設される部分の要部の構成を示す正面断面図である。
【図７】光度検出部近傍の要部の構成を示す側面断面図である。
【符号の説明】
【００２２】
１    本体
２    内部電源・操作部
３    リモコン
１１    制御回路
１６    スピーカ（装置からみて右側）
１７    スピーカ（装置からみて左側）
２０    リモコン受光部
２１    光度検出部
１００    パネル
１００ａ  孔群（装置からみて右側）
１００ｂ  孔群（装置からみて左側）
１００    導光部
【図１】
2007294992.tif 000003
【図２】
2007294992.tif 000004
【図３】
2007294992.tif 000005
【図４】
2007294992.tif 000006
【図５】
2007294992.tif 000007
【図６】
2007294992.tif 000008
【図７】
2007294992.tif 000009